(57)【要約】【課題】本発明は、安価で拡張性が高く、プライバシー保護、セキュリティ保護に優れ、画像配信を制限または停止したときの画面を無表示とすることがなく、簡単にカスタマイズすることが可能な画像配信装置を提供することを目的とする。【解決手段】本発明の画像配信装置は、ＩＰネットワークに接続され、通信端末からアクセスされたとき配信用の画像情報を送信することができる通信部１１を備えた画像配信装置であって、画像情報の非公開モード時に送信するための表示用の画像情報またはリダイレクト先のアドレス情報を保存した記憶手段と、非公開モードか否かの判定を行うモード判定手段２０ａと、表示用の画像情報またはリダイレクト先のアドレス情報を通信端末に対して送信する通知手段２０ｃとを備えたことを特徴とする。【選択図】図２
2007142814.tif 000002
【特許請求の範囲】
【請求項１】
ＩＰネットワークに接続され、通信端末からアクセスされたとき配信用の画像情報を送信することができる通信部を備えた画像配信装置であって、前記画像情報の非公開モード時に送信するための表示用の画像情報またはリダイレクト先のアドレス情報を保存した記憶手段と、前記非公開モードか否かの判定を行うモード判定手段と、非公開モード時に前記表示用の画像情報または前記リダイレクト先のアドレス情報を前記通信端末に対して送信する通知手段とを備えたことを特徴とする画像配信装置。
【請求項２】
前記非公開モードが、時間帯によって配信を制限する時間帯制限モードと、プライバシー保護の設定により配信を制限するプライバシーモードとを備えていることを特徴とする請求項１記載の画像配信装置。
【請求項３】
前記記憶手段が第１の記憶部を備え、前記第１の記憶部が、前記表示用の画像情報または前記リダイレクト先のアドレス情報を格納した記憶媒体と、前記記憶媒体の読み出し書き込みを行うリーダライタとから構成されたことを特徴とする請求項１記載の画像配信装置。
【請求項４】
前記記憶媒体が半導体メモリ媒体であることを特徴とする請求項３記載の画像配信装置。
【請求項５】
前記記憶手段には、前記表示用の画像情報または前記リダイレクト先のアドレス情報のいずれかを前記非公開モードの各モードに関係付けたエントリ情報が格納されていることを特徴とする請求項２から４のいずれか１項に記載された画像配信装置。
【請求項６】
前記記憶手段が、前記第１の記憶部と、前記プライバシーモードを示す状態情報を保存する第２の記憶部とから構成されたことを特徴とする請求項３から４のいずれか１項に記載された画像配信装置。
【請求項７】
ＩＰネットワークに接続され、通信端末からアクセスされたとき配信用の画像情報を送信することができる通信部を備えた画像配信方法であって、前記画像情報の非公開モード時に送信するための表示用の画像情報またはリダイレクト先のアドレス情報を保存し、前記非公開モードか否かの判定を行い、非公開モード時に前記表示用の画像情報または前記リダイレクト先のアドレス情報を前記通信端末に対して送信する画像配信方法。
【発明の詳細な説明】
【技術分野】
【０００１】
本発明は、安価で拡張性が高く、プライバシー保護、セキュリティ保護に優れ、非公開時の画面を簡単にカスタマイズすることができる画像配信装置に関する。
【背景技術】
【０００２】
最近、多数の通信端末からＩＰネットワークを介してアクセスすると、データを配信する画像配信装置、中でもカメラ部を搭載したネットワークカメラが広く普及してきている。ネットワークカメラは、例えばＷｅｂサーバがＩＰネットワークを介して通信端末のＷｅｂブラウザとプロトコルＨＴＴＰで通信するもので、撮影した画像、場合によってはマイクとスピーカーを使って音声も各通信端末に送信する。
【０００３】
ところで、ネットワークカメラが設置されるとどうしてもプライバシーに関して不安がつのる。そこで、画像の公開と非公開を時間によって選択ができるネットワークカメラが提案された（特許文献１参照）。画像データを取得するためのカメラ装置を設け、識別番号およびアクセス可能な時間データを含むアクセスデータを配信し、限られた時間帯だけ画像データを配信するものである。しかし、公開する時間帯を制限するだけでは予定外のことに対応できずプライバシー保護は十分とはいえない。
【０００４】
そこで、最近ではこうしたことに対応するため時間帯を制限するだけでなく、直接カメラの撮像部のレンズを隠すことで公開、非公開を選択するプライバシーモードが設けられるようになった。図６（ａ）は従来のネットワークカメラ正面の外観図、図６（ｂ）は（ａ）のネットワークカメラ側面の外観図である。図６（ａ）（ｂ）において、１０１はＩＰネットワークを介して画像データを配信するネットワークカメラ本体、１０２はＣＣＤ等で構成されたネットワークカメラの撮像部である。
【０００５】
１０３は撮像部１０２を搭載しネットワークカメラ本体１０１に回転可能に支持されてパン角（水平方向）、チルト角（垂直方向）を変更する球状のパンチルト変更部、１０４はプライバシーモードスイッチである。プライバシーモードスイッチ１０４を被写体側から手動で操作（ＯＮ）するか、ＩＰネットワークからパンチルト変更部１０３を操作することによってチルト角を大きく回転し、撮像部１０２の光軸をネットワークカメラ本体１０１と交差する位置まで回転させてレンズを隠すことにより、プライバシーを保護するものである。
【特許文献１】登録実用新案第３０７１８００号公報
【発明の開示】
【発明が解決しようとする課題】
【０００６】
以上説明したように従来のネットワークカメラは、プライバシー保護の観点から画像の公開、非公開を時間帯によって選択することができ、また、これとは別にプライバシーモードを設け撮像部のレンズを隠すことで公開、非公開を選択することができる。
【０００７】
しかし、従来のネットワークカメラは、時間帯の制限による時間帯制限モード時、あるいはプライバシーモード設定時に、これを知らないユーザがＩＰネットワークを介してネットワークカメラにアクセスすると、画像が送られてこないため画面には何も表示されず、いわゆるブルー画面（無表示）となってしまっていた。このためアクセスしたユーザはなぜ画像が映らないかが分らず、快適感を喪失するという問題があった。
【０００８】
また、時間帯制限モード時あるいはプライバシーモード設定時に、いつもブルー画面が
表示されるのは印象が悪く、好みの画面にユーザがカスタマイズできることが望ましい。しかし、公開制限中と表示するだけでは快適さにおいてはブルー画面とあまり変わらない。だからといってメモリに予め所定の画像を登録し、この画像を表示するのは、内容が限定的になり、拡張性に乏しいし、公開制限中と判断した後改めて別のネットワークカメラにアクセスし直すのは時間がかかるし面倒である。
【０００９】
Ｊａｖａ（登録商標）等を利用することも考えられるが、都度プログラムをダウンロードし実行しなければならず、また、セキュリティの面で問題を残すものである。
【００１０】
そこで、このような問題を解決するために本発明は、安価で拡張性が高く、プライバシー保護、セキュリティ保護に優れ、画像配信を制限または停止したときの画面を無表示とすることがなく、簡単にカスタマイズすることが可能な画像配信装置を提供することを目的とする。
【課題を解決するための手段】
【００１１】
本発明の画像配信装置は、ＩＰネットワークに接続され、通信端末からアクセスされたとき配信用の画像情報を送信することができる通信部を備えた画像配信装置であって、前記画像情報の非公開モード時に送信するための表示用の画像情報またはリダイレクト先のアドレス情報を保存した記憶手段と、前記非公開モードか否かの判定を行うモード判定手段と、前記表示用の画像情報または前記リダイレクト先のアドレス情報を前記通信端末に対して送信する通知手段とを備えたことを特徴とする。
【発明の効果】
【００１２】
本発明の画像配信装置によれば、安価であって拡張性が高く、プライバシー保護、セキュリティ保護に優れ、画像配信を制限または停止したときの画面を無表示とすることがなく、しかも簡単にカスタマイズすることが可能になる。
【発明を実施するための最良の形態】
【００１３】
上記課題を解決するために本発明の請求項１の発明は、ＩＰネットワークに接続され、通信端末からアクセスされたとき配信用の画像情報を送信することができる通信部を備えた画像配信装置であって、画像情報の非公開モード時に送信するための表示用の画像情報またはリダイレクト先のアドレス情報を保存した記憶手段と、非公開モードか否かの判定を行うモード判定手段と、非公開モード時に表示用の画像情報またはリダイレクト先のアドレス情報を通信端末に対して送信する通知手段とを備えたことを特徴とする画像配信装置であり、画像配信を制限または停止したときの画面を無表示とすることがなく、しかも簡単にカスタマイズすることが可能になる。
【００１４】
本発明の第２の発明は、第１の発明に従属する発明であって、非公開モードが、時間帯によって配信を制限する時間帯制限モードと、プライバシー保護の設定により配信を制限するプライバシーモードとを備えていることを特徴とする画像配信装置であり、プライバシー保護に優れた画像配信装置となる。
【００１５】
本発明の第３の発明は、第１の発明に従属する発明であって、記憶手段が第１の記憶部を備え、第１の記憶部が、表示用の画像情報またはリダイレクト先のアドレス情報を格納した記憶媒体と、記憶媒体の読み出し書き込みを行うリーダライタとから構成されたことを特徴とする画像配信装置であり、安価であって拡張性が高く、セキュリティ保護に優れ、画像配信を制限または停止したときの画面を無表示とすることがなく、しかも簡単にカスタマイズすることが可能になる。
【００１６】
本発明の第４の発明は、第３の発明に従属する発明であって、記憶媒体が半導体メモリ
媒体であることを特徴とする画像配信装置であり、安価であって拡張性が高く、プライバシー保護、セキュリティ保護に優れ、画像配信を制限または停止したときの画面を無表示とすることがなく、しかも簡単にカスタマイズすることが可能になる。
【００１７】
本発明の第５の発明は、第２から４のいずれか１項の発明に従属する発明であって、記憶手段には、表示用の画像情報またはリダイレクト先のアドレス情報のいずれかを非公開モードの各モードに関係付けたエントリ情報が格納されていることを特徴とする画像配信装置であり、安価であって拡張性が高く、プライバシー保護、セキュリティ保護に優れ、画像配信を制限または停止したときの画面を無表示とすることがなく、しかも簡単にカスタマイズすることが可能になる。
【００１８】
本発明の第６の発明は、第３から４のいずれか１項の発明に従属する発明であって、記憶手段が、第１の記憶部と、プライバシーモードを示す状態情報を保存する第２の記憶部とから構成されたことを特徴とする画像配信装置であり、プライバシー保護、セキュリティ保護に優れ、画像配信を制限または停止したときの画面を無表示とすることがない。
【実施例】
【００１９】
（実施例１）
本発明の実施例１における画像配信装置について説明する。図１は本発明の実施例１における画像配信装置のシステム構成図、図２は本発明の実施例１における画像配信装置の構成図、図３は本発明の実施例１における属性情報とデータの説明図、図４は本発明の実施例１における画像配信処理のシーケンスの説明図、図５は本発明の実施例１における画像配信処理のフローチャートである。
【００２０】
図１において、１はインターネットやイントラネット等のＴＣＰ／ＵＤＰ、ＩＰで通信するＩＰネットワーク、２，３は画像情報を配信する画像サーバであるネットワークカメラ（本発明の画像配信装置）、４はＩＰネットワーク１を介してネットワークカメラ２にアクセスすることができる通信端末である。なお、実施例１の画像配信装置はネットワークカメラであるが、画像情報の配信を行う公開モード、配信を制限または停止する非公開モードの設定が可能で、非公開時の画面が無表示を意味するブルー画面になる画像配信装置であれば、ネットワークカメラに限られない。なお、以下、画像配信を行う場合を公開、画像配信を制限または停止する場合を非公開という。制限には時間帯による制限、プライバシー保護による制限がある。
【００２１】
ネットワークカメラ２，３の外観は、図６（ａ）（ｂ）で示したネットワークカメラと同様で、基本的な構成では変わりがない。いずれもネットワークカメラ本体、後述する撮像部１３、パンチルト変更部、プライバシーモードスイッチ等の従来と共通の構成が設けられている。ただ、外観上の相違点としては、後述する半導体メモリカード１８を装着するスロットが形成されており、このスロットに複数の半導体メモリカード１８の中から１つを選んで装着し、画像配信が無表示となるときにこの中に保存された画像情報（場合により音声まで含めて）を読み出して表示したり、別のネットワークカメラ２，３にリダイレクトさせてそのカメラの画像を表示させたりして、よりカスタマイズされ、充実した非公開時の画面を提供することができる。
【００２２】
続いて、図２に基づいてネットワークカメラ２，３の内部構成について説明する。図２において、１１はネットワークカメラ２のＩＰネットワーク１との間の通信部、１１ａはＷｅｂサーバであり、通信端末４のＷｅｂブラウザからの要求を受信し、ネットワークカメラ２からのリアルタイムの画像情報を通信端末４に送信し、非公開時には無表示を回避するための表示用の画像情報やＵＲＬ等のアドレス情報を送信する。なお、画像配信（ストリーミング）がＨＴＴＰ以外の、例えばＦＴＰ、ＲＴＰ等プロトコルによる場合はＷｅ
ｂサーバ１１ａではなく、これらのプロトコルで通信するサーバが通信部１１に搭載される。
【００２３】
１２はカメラ部、１３はカメラ部１２に設けられたＣＣＤあるいはＣＭＯＳ撮像素子等の光電変換を行う撮像部、１４は撮像部１３からの映像信号であるＲ，Ｇ，Ｂ信号あるいは補色信号を処理し、輝度信号Ｙと色差信号Ｃｒ，Ｃｂ信号を発生する映像信号処理部である。映像信号処理部１４では、輪郭補正、γ補正処理等が行われる。
【００２４】
１５は映像信号処理部１４から出力された輝度信号Ｙと色差信号Ｃｒ，Ｃｂを所定のタイミングでキャプチャーし、これらの信号をＪＰＥＧ形式、場合によって音声まで含むＭＰＥＧ形式等に圧縮する画像信号圧縮部、１５ａは画像信号圧縮部１５からの出力をバッファするバッファである。画像信号圧縮部１５は代表的にはＤＣＴ処理したものを量子化し、符号化して出力する。１６は撮像部１３に対するパン、チルトの回転をさせるための駆動信号を出力する撮像駆動部であり、ズーム等の制御も行う。なお、プライバシーモードにおいては、撮像駆動部１６が撮像部１３を搭載したパンチルト変更部（図６（ａ）（ｂ）参照）をチルトさせ、撮像部１３の光軸をネットワークカメラ本体１０１と交差する位置まで回転させてレンズを隠し、プライバシーを保護する。このほか、撮像部１３を覆うシャッタを設けるなどの手段を講じることもできる。
【００２５】
１７は制御プログラムや各種データをメモリする内蔵の記憶部である。１７ａはプライバシーモードを示すフラグ（本発明のプライバシーモードを示す状態情報）を収めたモード判定情報部である。このフラグはプライバシーモードスイッチをＯＮ、ＯＦＦしたとき、またはＩＰネットワーク１からの操作で設定される。
【００２６】
１８は非公開時の画面を無表示（ブルー画面）にしないための表示用の画像情報（本発明の表示用の画像情報）や、リダイレクト先のＵＲＬ（本発明のアドレス情報）を格納するための記録媒体である半導体メモリカード（本発明の半導体メモリ媒体）、１９は半導体メモリカード１８の読み出しと書き込みを行うカードリーダライタ（本発明のリーダライタ）である。半導体メモリカード１８としては、安価で小型、且つ大容量の記憶容量を持つものであればよく、例えばＳＤカード（ＳａｎＤｉｓｋ社、松下電器産業、東芝が共同開発した半導体メモリカード）やその他のＩＣカード、磁気カード等であってもよい。
【００２７】
なお、実施例１の半導体メモリカード１８とカードリーダライタ１９が本発明の第１の記憶部を構成し、記憶部１７が本発明の第２の記憶部を構成する。また、実施例１においては、表示用の画像情報またはリダイレクト先のアドレス情報を半導体メモリカード１８に格納するものとして説明するが、これに限られるものではない。
【００２８】
ここで、ＳＤカード等の半導体メモリカード１８に保存された情報について説明すると、半導体メモリカード１８には、画像情報、とくに動画情報、場合により音声情報を含んだ画像情報（以下、画像／音声情報）のデータと、そのデータの属性を含んだエントリ情報１８ａが格納されている。１８ａは非公開時の画面を表示するため保存した画像情報を送信するのか、他のネットワークカメラ等に誘導するのかを指定するエントリ情報１８ａである。
【００２９】
１８ａ1は、時間帯制限モードまたはプライバシーモードからなる非公開モードと、保存された情報が画像情報とアドレス情報のいずれかを示すデータタイプが保存されている属性情報、１８ａ2は属性情報１８ａ1と対応するファイル情報（画像ファイル名）若しくはＵＲＬを記述した保存データ情報である。１８ｂは保存データ情報１８ａ2のファイル情報の具体的なデータである。
【００３０】
図３には実施例１の半導体メモリカード１８に格納されたエントリ情報１８ａの内容が具体的に示されている。エントリ情報１８ａは属性情報１８ａ1と保存データ情報１８ａ2とでテーブルになっており、属性情報１８ａ1として時間帯制限モード（時間帯により複数設定できる）またはプライバシーモードのいずれかの非公開モードが設定され、保存された情報が画像情報とアドレス情報のいずれかを示すデータタイプが設けられている。そして、この属性情報１８ａ1に対して保存データ情報１８ａ2が関係付けられ、それぞれにファイル情報かＵＲＬが格納されている。ファイル情報の場合、データ１８ｂを読み出して実体として送信されるが、ＵＲＬの場合は保存データ情報１８ａ2の情報がそのままリダイレクト（要求先変更）通知に利用される。
【００３１】
次に、図２において２０は制御部であって、中央処理装置（ＣＰＵ）に制御プログラムを読み込んで各機能を奏する機能実現手段として構成される。
【００３２】
制御部２０には次の機能実現手段が搭載される。２０ａはＷｅｂブラウザからの要求があると、時間帯によって画像配信を制限する時間帯制限モードか否か、または撮像部１３を隠すことで画像配信を制限するプライバシーモードか否かを判定するモード判定手段である。
【００３３】
また、２０ｂは、モード判定手段２０ａが非公開のモードの場合と判断したとき、格納された情報を検索するデータ検索手段、２０ｃは格納された情報からＨＴＭＬ等の非公開時画面生成情報またはリダイレクト通知を生成しＷｅｂサーバ１１ａからＩＰパケットとして通信端末４に送信させる通知手段である。
【００３４】
モード判定手段２０ａは、Ｗｅｂサーバ１１ａに画像配信要求があると、半導体メモリカード１８が装着されていれば、その内部のエントリ情報１８ａを参照する。エントリ情報１８ａがなければどの非公開モードも設定されていないから、公開モードとして画像を配信する。エントリ情報１８ａが存在する場合、モード判定手段２０ａは計時部２１の時刻を参照し、現在の時刻からいずれかの時間帯制限モードに該当するか否かを判断する。時間帯制限モードでなければプライバシーモードの設定に従う。時間帯制限モードの場合はその後保存データ情報１８ａ2を参照し、データ検索手段２０ｂが表示用の画像情報かＵＲＬを取り出し、通知手段２０ｃが非公開時画面生成情報またはリダイレクト通知を通信端末４に通知する。
【００３５】
次に、モード判定手段２０ａは、記憶部１７のモード設定情報部１７ａにプライバシーモードのフラグが設定されているか否かをチェックする。フラグがＯＮになっている場合、モード判定手段２０ａはプライバシーモードと判断し、保存データ情報１８ａ2を参照し、データ検索手段２０ｂが表示用の画像情報かＵＲＬを取り出し、通知手段２０ｃが非公開時画面生成情報またはリダイレクト通知を通信端末４に通知する。このときプライバシーモードのフラグがＯＦＦの場合は、エントリ情報１８ａがないのと同様、公開モードとして画像の配信を行う。
【００３６】
なお、フラグチェックと計時部２１の時刻の参照は順序が逆であってもよい。この場合、モード判定手段２０ａはまずモード設定情報部１７ａのフラグをチェックし、ＯＮならプライバシーモードと判断する。ＯＦＦの場合、計時部２１の時刻から時間帯制限モードか否かを判断する。
【００３７】
図３において説明すると、非公開時間Ｔ10〜Ｔ11の時間帯制限モードでは、データタイプが画像（ｊｐｅｇ）で、保存データが「ｉｍａｇｅ１．ｊｐｇ」であり、プライバシーモードは、データタイプがＵＲＬで、リダイレクト先のＵＲＬは「ｃａｍｅｒａ２．Ａ．ｎｅｔ」である。なお、非公開時間Ｔ20〜Ｔ21の時間帯制限モードでは、保存データが「
ｉｍａｇｅ２．ｊｐｇ」であり、非公開時間Ｔ30〜Ｔ31の時間帯制限モードではデータタイプが画像／音声（ｍｐｅｇ）で、保存データが「ａｕｄｉｏｖｉｄｅｏ．ｍｐｇ」として保存されている。なお、「ｊｐｅｇ」は「ｍｐｅｇ」でなくても擬似的に動画情報、画像／音声情報を送信できる。
【００３８】
データ検索手段２０ｂは時刻帯またはプライバシーのフラグに基づいて該当するモードの情報を保存データ情報１８ａ2、データ１８ｂから取り出して通知手段２０ｃに渡し、通知手段２０ｃはこの情報に基づいてＨＴＭＬ等で非公開時画面生成情報またはリダイレクト通知を生成し、Ｗｅｂサーバ１１ａから２００  ＯＫのＩＰパケットのＨＴＴＰペイロードとして送信する。
【００３９】
例えば、図３の非公開時間Ｔ10〜Ｔ11の時間帯制限モードではデータタイプが画像情報であるから、通知手段２０ｃはエントリ情報１８ａを使って２００  ＯＫに画像情報である「ｉｍａｇｅ１．ｊｐｇ」のデータを付けて送信し、図３のプライバシーモードの場合はデータタイプがアドレス情報（ＵＲＬ）であるから、保存データのＵＲＬにそのままＬｏｃａｔｉｏｎタグをつけて「Ｌｏｃａｔｉｏｎ：ｈｔｔｐ：／／ｃａｍｅｒａ２．Ａ．ｎｅｔ」いう記述のリダイレクト通知を生成して送信する。これにより、リダイレクト通知を受け取った通信端末４のＷｅｂブラウザはＬｏｃａｔｉｏｎタグに付加されたＵＲＬ「ｃａｍｅｒａ２．Ａ．ｎｅｔ」を取得し、自動的にアクセスし、さらにこのＵＲＬのネットワークカメラ３から画像情報を受信することができる。
【００４０】
さらに図２において、２１は時間をカウントする計時部、２２はデータリンクするための回線インターフェース（Ｉ／Ｆ）、２３はプライバシーモードスイッチをＯＮしたとき入力を行うプライバシーモード入力部である。ここで計時部２１は時間帯制限モードの判定を行うためのものであり、プライバシーモード入力部２３はプライバシーモードのフラグをＯＮに設定するためのものである。なお、プライバシーモードのフラグ設定はＩＰネットワーク１から行うこともできる。
【００４１】
続いて、実施例１のネットワークカメラ２が通信端末４からアクセスされたときに行われる画像配信処理のシーケンスについて説明する。図４において、まず通信端末４のＷｅｂブラウザからネットワークカメラ２（ホスト名ｃａｍｅｒａ１）に画像情報を要求するため「Ｇｅｔ  ｈｔｔｐ：／／ｃａｍｅｒａ１．Ａ．ｎｅｔ  ＨＴＴＰ／１．１」を送信する（ｓｑ１）。ネットワークカメラ２では通信端末４のＵＲＬを記憶部１７に保存し、非公開モードか否かを判定するため属性情報１８ａ1を参照する（ｓｑ２）。図４では、データタイプがＵＲＬで保存データ情報１８ａ2に「ｃａｍｅｒａ２．Ａ．ｎｅｔ」が格納されているため、ネットワークカメラ２は「ＨＴＴＰ／１．１  ３０２  Ｆｏｕｎｄ  Ｌｏｃａｔｉｏｎ：ｈｔｔｐ：／／ｃａｍｅｒａ２．Ａ．ｎｅｔ」というＬｏｃａｔｉｏｎタグを使ったリダイレクト通知を生成して保存したＵＲＬ宛に送信する（ｓｑ３）。
【００４２】
このリダイレクト通知を受信した通信端末４のＷｅｂブラウザは、自動的にネットワークカメラ３（ホスト名ｃａｍｅｒａ２）に画像情報を要求するための画像配信要求「Ｇｅｔ  ｈｔｔｐ：／／ｃａｍｅｒａ２．Ａ．ｎｅｔ  ＨＴＴＰ／１．１」を生成して送信する（ｓｑ４）。これを受信したネットワークカメラ３では通信端末４のＵＲＬを記憶部１７に保存し、非公開モードか否かを判定するため属性情報１８ａ１を参照し（ｓｑ５）、非公開ではないことが分ると撮像部１３で撮影した画像情報を配信し、この画像情報を付けた「ＨＴＴＰ／１．１  ２００  ＯＫ」を通信端末４のＷｅｂブラウザに送信する（ｓｑ６）。これにより、Ｗｅｂブラウザではネットワークカメラ３のリアルタイムの画像を見ることができる。
【００４３】
なお、ｓｑ２においてネットワークカメラ２が公開モードのときは、ｓｑ６と同様に撮
像部１３で撮影した画像情報を配信することができる。この場合、Ｗｅｂブラウザではネットワークカメラ２のリアルタイムの画像を見ることができる。
【００４４】
また、ｓｑ２において非公開モードで「ｉｍａｇｅ１．ｊｐｇ」が保存されている場合は、ｓｑ３で「ｉｍａｇｅ１．ｊｐｇ」の画像情報を付加した「ＨＴＴＰ／１．１  ２００  ＯＫ」を通信端末４のＷｅｂブラウザに送信する。これにより、Ｗｅｂブラウザでは保存された「ｉｍａｇｅ１．ｊｐｇ」の画像を見ることができる。同様に、非公開時間Ｔ20〜Ｔ21の時間帯制限モードでは「ｉｍａｇｅ２．ｊｐｇ」の画像を見ることができる。さらに、非公開時間Ｔ30〜Ｔ31においては「ａｕｄｉｏｖｉｄｅｏ．ｍｐｇ」の画像情報と音声情報を送受信することができる。音声の送受信が差し支えのない時間帯などが選ばれる。なお、非公開モードではあるが、保存データ情報１８ａ2に何らの設定もなされていない場合は、Ｗｅｂブラウザでは現在同様のブルー画面となる。
【００４５】
次に、実施例１における画像配信の処理の手順について図５に基づいて説明する。図５において、Ｗｅｂブラウザから画像配信要求が着信したのを検知すると（ｓｔｅｐ１）、時間帯制限モード中またはプライバシーモード中であるかの判断を行う（ｓｔｅｐ２）。
【００４６】
ｓｔｅｐ２において、時間帯制限モード中またはプライバシーモード中でない場合は、公開モードであるから画像を配信し（ｓｔｅｐ３）、終了する。ｓｔｅｐ２において時間帯制限モード中またはプライバシーモード中の場合、記憶部１７と半導体メモリカード１８の属性情報１８ａ1を検索し（ｓｔｅｐ４）、データタイプが画像情報（画像／音声情報を含む）か否かをチェックする（ｓｔｅｐ５）。
【００４７】
ｓｔｅｐ５において、データタイプが画像情報（画像／音声情報を含む）の場合はデータ１８ｂを取り出して送信し（ｓｔｅｐ６）、終了する。また、ｓｔｅｐ５において、データタイプが画像情報（画像／音声情報を含む）でない場合、データタイプがアドレス情報か否かをチェックする（ｓｔｅｐ７）。
【００４８】
ｓｔｅｐ７において、データタイプがアドレス情報でない場合は、画像未配信として（ｓｔｅｐ８）終了する。この場合通信端末４側では無表示となる。データタイプがアドレス情報の場合はこのアドレス情報に対して画像配信要求をリダイレクトし（ｓｔｅｐ９）、終了する。
【００４９】
このように実施例１のネットワークカメラは、半導体メモリカードを読み書きできるカードリーダライタが設けられると共に、予め半導体メモリカードに画像情報等のデータや、他のネットワークカメラ等へのアドレス情報を保存しておくので、通信端末がネットワークカメラにアクセスしてきたとき、時間帯制限モードやプライバシーモード設定時に、保存された画像情報を送信するか、あるいは、保存されたアドレス情報を通知して他のネットワークカメラ等に誘導することができる。このため、画像配信を制限または停止したときの画面がいつ見てもブルー画面になるといった現象を回避することができ、アクセス時の快適性を確保することができる。
【００５０】
また、実施例１のネットワークカメラは、ユーザが好みの画面に簡単にカスタマイズできる。複数枚のカードにそれぞれ様々な好みの画像情報、画像／音声情報を保存しておきさえすれば、半導体メモリカードを装着するだけで所望の画面を選択することができる。カスタマイズが容易であり、安価で拡張性が高い。さらに、半導体メモリカードを外しておけば、ＩＰネットワークからアドレス情報などを書き換えられたりすることがなく、また、画像の表示のために都度プログラムをダウンロードするなどの必要はなく、プライバシー保護、セキュリティ保護に優れたものとなる。
【産業上の利用可能性】
【００５１】
本発明は、画像配信を制限または停止したときの画面を無表示とすることがなく、簡単にカスタマイズすることができる画像配信装置に適用できる。
【図面の簡単な説明】
【００５２】
【図１】本発明の実施例１における画像配信装置のシステム構成図
【図２】本発明の実施例１における画像配信装置の構成図
【図３】本発明の実施例１における属性情報とデータの説明図
【図４】本発明の実施例１における画像配信処理のシーケンスの説明図
【図５】本発明の実施例１における画像配信処理のフローチャート
【図６】（ａ）従来のネットワークカメラ正面の外観図、（ｂ）（ａ）のネットワークカメラ側面の外観図
【符号の説明】
【００５３】
１    ＩＰネットワーク
２，３    ネットワークカメラ
４    通信端末
１１    通信部
１１ａ    Ｗｅｂサーバ
１２    カメラ部
１３    撮像部
１４    映像信号処理部
１５    画像信号圧縮部
１５ａ    バッファ
１６    撮像駆動部
１７    記憶部
１７ａ    モード設定情報部
１８    半導体メモリカード
１８ａ    エントリ情報
１８ａ1    属性情報
１８ａ2    保存データ情報
１８ｂ    データ
１９    カードリードライタ
２０    制御部
２０ａ    モード判定手段
２０ｂ    データ検索手段
２０ｃ    通知手段
２１    計時部
２２    回線インターフェース
２３    プライバシーモード入力部
１０１    ネットワークカメラ本体
１０２    撮像部
１０３    パンチルト変更部
１０４    プライバシーモードスイッチ
【図１】
2007142814.tif 000003
【図２】
2007142814.tif 000004
【図３】
2007142814.tif 000005
【図４】
2007142814.tif 000006
【図５】
2007142814.tif 000007
【図６】
2007142814.tif 000008